(57)【要約】【課題】  安価でありながら高級感のあるスライドファスナーを提供する。【解決手段】  一対のファスナーテープ１と、各ファスナーテープ１の対向する芯部２に所定のピッチ毎にそれぞれ固定された複数のエレメント３と、を備えるスライドファスナー１３であって、エレメント３は、アルミニウム合金を母材とし、ＪＩＳ  Ｚ８７８１−４（２０１３）にて規定されるＣＩＥＬＡＢ色空間において、０≦a*≦１５、１５≦b*≦５０を満たす色調で規定する塗装処理が施されることを特徴とする。【選択図】図１
0003214550.tif 000002
【実用新案登録請求の範囲】
【請求項１】
一対のファスナーテープ（１）と、
前記各ファスナーテープ（１）の対向する芯部（２）に所定のピッチ毎にそれぞれ固定された複数のエレメント（３）と、
を備えるスライドファスナー（１３）であって、
前記エレメント（３）は、
アルミニウム合金を母材とし、
ＪＩＳ  Ｚ８７８１−４（２０１３）にて規定されるＣＩＥＬＡＢ色空間において、０≦a*≦１５、１５≦b*≦５０を満たす色調で規定する塗装処理が施される
ことを特徴とするスライドファスナー（１３）。
【請求項２】
前記エレメント（３）は、ＪＩＳ  Ｚ８７８１−４（２０１３）にて規定されるＣＩＥＬＡＢ色空間において、５０≦L*≦８５を満たす明度で規定する塗装処理が施される
請求項１に記載のスライドファスナー（１３）。
【請求項３】
前記複数のエレメント（３）の上端に配置され、ファスナーテープ（１）の芯部（２）に固定される上止具（４）と、
前記複数のエレメント（３）の下端に配置され、ファスナーテープ（１）の芯部（２）に固定される下止具（５）と、
を備えるスライドファスナー（１３）であって、
前記上止具（４）及び前記下止具（５）は、
前記エレメント（３）の色調範囲と同じ範囲の色調を呈する
請求項１又は２に記載のスライドファスナー（１３）。
【請求項４】
前記エレメント（３）と前記上止具（４）と前記下止具（５）とにおけるそれぞれのa*の値の差の範囲を、０≦Δa*≦１２の範囲とし、前記エレメント（３）と前記上止具（４）と前記下止具（５）とにおけるそれぞれのb*の値の差の範囲を、０≦Δb*≦２０の範囲とした
請求項３に記載のスライドファスナー（１３）。
【請求項５】
前記上止具（４）及び前記下止具（５）は、前記エレメント（３）の色調範囲と同じ範囲の色調を呈する銅合金から構成される
請求項４に記載のスライドファスナー（１３）。
【請求項６】
前記上止具（４）及び前記下止具（５）は、
アルミニウム合金を母材とし、前記エレメント（３）の色調範囲と同じ範囲の色調で規定する塗装処理が施される
請求項４に記載のスライドファスナー（１３）。
【請求項７】
前記上止具（４）及び前記下止具（５）は、ＪＩＳ  Ｚ８７８１−４（２０１３）にて規定されるＣＩＥＬＡＢ色空間において、５０≦L*≦８５を満たす明度で規定する塗装処理が施される
請求項３乃至請求項６に記載のスライドファスナー（１３）。
【請求項８】
前記エレメント（３）と前記上止具（４）と前記下止具（５）とにおけるそれぞれの色差が、０≦ΔＥ≦３０の範囲を満たす
請求項３乃至請求項７のいずれか１つに記載のスライドファスナー（１３）。
【請求項９】
請求項１乃至請求項８のいずれか１つに記載のスライドファスナー（１３）において、
前記エレメント（３）を噛合又は分離させるために移動自在なスライダー（６）と、
を備え、
前記スライダー（６）は、
前記エレメント（３）の色調と同じ範囲の色調を呈する
スライドファスナー（１３）。
【請求項１０】
前記エレメント（３）と前記上止具（４）と前記下止具（５）と前記スライダー（６）におけるそれぞれのa*の値の差の範囲を、０≦Δa*≦１２の範囲とし、前記エレメント（３）と前記上止具（４）と前記下止具（５）と前記スライダー（６）とにおけるそれぞれのb*の値の差の範囲を、０≦Δb*≦２０の範囲とした
請求項９に記載のスライドファスナー（１３）。
【請求項１１】
前記スライダー（６）は、前記エレメント（３）の色調範囲と同じ範囲の色調を呈する銅合金から構成される
請求項１０に記載のスライドファスナー（１３）。
【請求項１２】
前記スライダー（６）は、アルミニウム合金を母材とし、
前記エレメント（３）の色調範囲と同じ範囲の色調で規定する塗装処理が施される
ことを特徴とする請求項１０に記載のスライドファスナー（１３）。
【請求項１３】
前記スライダー（６）は、
鉄材を母材とし、前記エレメント（３）の色調範囲と同じ範囲の色調で規定するめっき処理または塗装処理が施される
請求項１０に記載のスライドファスナー（１３）。
【請求項１４】
前記スライダー（６）は、ＪＩＳ  Ｚ８７８１−４（２０１３）にて規定されるＣＩＥＬＡＢ色空間において、５０≦L*≦８５を満たす明度で規定する塗装処理が施される
請求項９乃至請求項１３のいずれか１つに記載のスライドファスナー（１３）。
【請求項１５】
前記エレメント（３）と前記上止具（４）と前記下止具（５）と前記スライダー（６）とにおけるそれぞれの色差が、０≦ΔＥ≦３０の範囲を満たす
請求項９乃至請求項１４のいずれか１つに記載のスライドファスナー（１３）。
【考案の詳細な説明】
【技術分野】
【０００１】
本考案は、アルミニウム製のエレメントがテープに取り付けられたスライドファスナーに関するものである。
【背景技術】
【０００２】
スライドファスナーの噛合部品であるエレメント及び止具は金属を材料として製造可能である。そして、高級感のあるゴールド色に近い色のスライドファスナーが求められる場合には、従来は、合金色としてゴールド色に近い色を呈した銅−亜鉛合金を材料としたスライドファスナーが広く利用されている。例えば、特許文献１にはライドゴールド色を有する金属ファスナーを提供するために、銅合金の組成を調整することで所望の色だしを行うことが開示されている（特許文献１参照）。
【０００３】
また、従来は、銅合金よりも比較的安価なアルミニウム合金を使ったファスナーも存在したが、銅合金に近い色合いとするために、めっきにより銅合金をアルミニウム合金母材の上に設けていた（特許文献２参照。）。
【先行技術文献】
【特許文献】
【０００４】
【特許文献１】国際公開第２０１６／１０３５０５号
【特許文献２】国際公開第２０１１／０７７５６７号
【考案の概要】
【考案が解決しようとする課題】
【０００５】
しかしながら、特許文献１に記載されたスライドファスナーは、亜鉛やニッケル等を含む高価な銅合金を用いるため、高価格になっていた。
【０００６】
同じく、特許文献２に記載のようなアルミニウム合金に銅合金をめっきすることも、そのめっきの工程が複雑であり、めっき材料として銅合金を使うために高価格になっていた。
【０００７】
本考案は、安価でありながら高級感のあるスライドファスナーを提供することを目的とする。
【課題を解決するための手段】
【０００８】
本考案の一実施形態にかかるスライドファスナーは、
一対のファスナーテープと、
前記各ファスナーテープの対向する芯部に所定のピッチ毎にそれぞれ固定された複数のエレメントと、
を備えるスライドファスナーであって、
前記エレメントは、
アルミニウム合金を母材とし、
ＪＩＳ  Ｚ８７８１−４（２０１３）にて規定されるＣＩＥＬＡＢ色空間において、０≦a*≦１５、１５≦b*≦５０を満たす色調で規定する塗装処理が施される
ことを特徴とする。
【０００９】
本考案の一実施形態にかかるスライドファスナーでは、
前記エレメントは、ＪＩＳ  Ｚ８７８１−４（２０１３）にて規定されるＣＩＥＬＡＢ色空間において、５０≦L*≦８５を満たす明度で規定する塗装処理が施される。
【００１０】
本考案の一実施形態にかかるスライドファスナーは、
前記複数のエレメントで形成されるエレメント列の上端に配置され、ファスナーテープの芯部（２）に固定される上止具と、
前記複数のエレメントで形成されるエレメント列の下端に配置され、ファスナーテープの芯部（２）に固定される下止具と、
を備えるスライドファスナーであって、
前記上止具及び前記下止具は、
前記エレメントの色調範囲と同じ範囲の色調を呈する。
【００１１】
本考案の一実施形態にかかるスライドファスナーでは、
前記エレメントと前記上止具と前記下止具とにおけるそれぞれのa*の値の差の範囲を、０≦Δa*≦１２の範囲とし、前記エレメントと前記上止具と前記下止具とにおけるそれぞれのb*の値の差の範囲を、０≦Δb*≦２０の範囲とした。
【００１２】
本考案の一実施形態にかかるスライドファスナーでは、
前記上止具及び前記下止具は、前記エレメントの色調範囲と同じ範囲の色調を呈する銅合金から構成される。
【００１３】
本考案の一実施形態にかかるスライドファスナーでは、
前記上止具及び前記下止具は、
アルミニウム合金を母材とし、
前記エレメントの色調範囲と同じ範囲の色調で規定する塗装処理が施される。
【００１４】
本考案の一実施形態にかかるスライドファスナーでは、
前記上止具及び前記下止具は、ＪＩＳ  Ｚ８７８１−４（２０１３）にて規定されるＣＩＥＬＡＢ色空間において、５０≦L*≦８５を満たす明度で規定する塗装処理が施される。
【００１５】
本考案の一実施形態にかかるスライドファスナーでは、
前記エレメントと前記上止具と前記下止具とにおけるそれぞれの色差が、０≦ΔＥ≦３０の範囲を満たす
【００１６】
本考案の一実施形態にかかるスライドファスナーでは、
前記スライドファスナーにおいて、
前記エレメントを噛合又は分離させるために移動自在なスライダーと、
を備え、
前記スライダーは、
前記エレメントの色調と同じ範囲の色調を呈する。
【００１７】
本考案の一実施形態にかかるスライドファスナーでは、
前記エレメントと前記上止具と前記下止具と前記スライダーとにおけるそれぞれのa*の値の差の範囲を、０≦Δa*≦１２の範囲とし、前記エレメントと前記上止具と前記下止具と前記スライダーとにおけるそれぞれのb*の値の差の範囲を、０≦Δb*≦２０の範囲とした。
【００１８】
本考案の一実施形態にかかるスライドファスナーでは、
前記スライダーは、前記エレメントの色調範囲と同じ範囲の色調を呈する銅合金から構成される。
【００１９】
本考案の一実施形態にかかるスライドファスナーでは、
前記スライダーは、
アルミニウム合金を母材とし、前記エレメントの色調範囲と同じ範囲の色調で規定する塗装処理が施される。
【００２０】
本考案の一実施形態にかかるスライドファスナーでは、
前記スライダーは、
鉄材を母材とし、前記エレメントの色調範囲と同じ範囲の色調で規定するめっき処理または塗装処理が施される。
【００２１】
本考案の一実施形態にかかるスライドファスナーでは、
前記スライダーは、ＪＩＳ  Ｚ８７８１−４（２０１３）にて規定されるＣＩＥＬＡＢ色空間において、５０≦L*≦８５を満たす明度で規定する塗装処理が施される。
【００２２】
本考案の一実施形態にかかるスライドファスナーでは、
前記エレメントと前記上止具と前記下止具と前記スライダーとにおけるそれぞれの色差が、０≦ΔＥ≦３０の範囲を満たす。
【考案の効果】
【００２３】
本考案によれば、安価でありながら高級感のあるスライドファスナーチェーン及びスライドファスナーを提供することが可能となる。
【図面の簡単な説明】
【００２４】
【図１】本実施形態にかかるスライドファスナーの模式図を示す。
【図２】本実施形態にかかるファスナーテープに下止具、上止具及びエレメントを取り付ける方法を説明する図を示す。
【図３】本実施形態のスライドファスナーのゴールド色のa*及びb*を示す。
【図４】本実施形態のスライドファスナーのゴールド色のL*を示す。
【考案を実施するための形態】
【００２５】
以下、スライドファスナーチェーン７を例に、図面に基づき具体的に説明する。
【００２６】
図１は、本実施形態にかかるスライドファスナー１３の模式図を示す。
【００２７】
本実施形態にかかるスライドファスナー１３は、一対のファスナーテープ１，１と、各ファスナーテープ１の対向する芯部２に沿って、所定の間隔を空けて装着された複数のエレメント３と、複数のエレメント３で形成されるエレメント列３’ の上端に配置され、ファスナーテープ１の芯部２に固定される上止具４と、複数のエレメント３で形成されるエレメント列３’ の上端に配置され、ファスナーテープ１の芯部２に固定される下止具５と、エレメント３に沿って移動することにより、エレメント３を噛合又は分離させるスライダー６とからなる。上止具４は、エレメント列３’の上端に配置され、下止具５は、エレメント列３’の下端に配置される。
【００２８】
なお、１つのファスナーテープ１の芯部２にエレメント３が装着された状態のものをスライドファスナーストリンガーという。また、エレメント３が向き合う一対の噛合可能なスライドファスナーストリンガーは、スライドファスナーチェーン７という。さらに、スライダー６が取り付けられたスライドファスナーチェーン７は、スライドファスナー１３という。
【００２９】
また、図１に示すスライダー６は、図示されていないが断面矩形状の板状体からなる長尺体を多段階にてプレス加工を施し、所定間隔ごとに切断し、スライダー胴体を作製し、さらに必要に応じてスプリング及び引手を装着したものである。さらに、引手も断面矩形状の板状体から、所定形状ごとに打ち抜き、これをスライダー胴体にかしめ固定したものである。なお、下止具５は、蝶棒、箱棒、箱体からなる開離嵌挿具とし、スライダーの解離操作にて一対のスライドファスナーチェーンを分離できるようにしたものであっても構わない。
【００３０】
図２は、図１に示されるスライドファスナー１３のエレメント３，上止具４及び下止具５の製造方法及びファスナーテープ１の芯部２への取り付け方法を示す。図２に示すように、エレメント３は、断面略Ｙ字状からなる異形線８を所定寸法ごとに切断し、これをプレス成形することにより、係合頭部９を形成し、その後、ファスナーテープ１の芯部２へ両脚部１０をかしめることにより、装着される。
【００３１】
上止部４は、断面矩形状の矩形線１１（平角線）を所定寸法ごとに切断し、曲げ加工により略断面Ｃ字状に成形し、その後、ファスナーテープ１の芯部２へかしめることにより、装着される。下止具５は、断面略Ｘ字状からなる異形線１２を所定寸法ごとに切断し、その後、ファスナーテープ１の芯部２へかしめることにより、装着される。なお、下止具５は、断面略Ｘ字状のものに限らず、板材を打ち抜いて加締めて取り付けられるものなどでもよい。
【００３２】
なお、図においては、エレメント３、上下止具４，５が同時にファスナーテープ１に装着されるようになっているが、実際は、ファスナーテープ１に連続的にエレメント３を取り付け、まずファスナーチェーンを作製し、ファスナーチェーンの止具取付領域のエレメント３を取り外し、この領域のエレメント３に近接して所定の上下止具４又は５を装着するものである。以上のようにして製造及び取付を行うため、スライドファスナーの構成部品となるエレメント及び止め具は、冷間加工性に優れた材料とすることが好ましい。
【００３３】
スライドファスナー１３は、各種の物品に取着することができ、特に開閉具として機能する。スライドファスナー１３が取着される物品としては、特に制限はないが、例えば衣料品、鞄類、靴類及び雑貨品といった日用品の他、貯水タンク、漁網及び宇宙服といった産業用品が挙げられる。
【００３４】
本実施形態のスライドファスナー１３では、少なくともエレメント３は、ゴールド色の塗装処理が施されたアルミニウム合金で形成する。アルミニウム合金の組成は、Ｃｕを0.15〜0.8質量％、Ｍｇを0.8〜2質量％及びＳｉを0.4〜0.9質量％含有、又は、Ｃｕを0.35質量％以下、Ｍｇを0.4〜0.8質量％及びＳｉを0.4〜0.9質量％含有し、残部がＡｌ及び不可避的不純物であることが好ましい。しかしながら、この組成に限らず、他のアルミニウムを母材とする合金であってもよい。
【００３５】
塗装処理は、本実施形態のスライドファスナー１３では、長尺の連続ファスナーチェーン状態のもとで、エレメント部分全体にわたり電着塗装を施している。なお、塗装方法については、ローラーによる塗装、スプレーによる塗装、静電塗装等であってもよい。
【００３６】
図３は、本実施形態のスライドファスナー１３のゴールド色のa*及びb*を示す。a*及びb*は、ＪＩＳ  Ｚ８７８１−４（２０１３）にて規定されるＣＩＥＬＡＢ色空間において規定される色調であり、a*はマゼンダ-緑系の色調（＋はマゼンダ寄り、−は緑寄り）を表し、b*は黄-青系の色調（＋は黄寄り、−は青寄り）を表す。そして、図３の四角形のプロットは、「銅と亜鉛の配合比率を変えた丹銅を母材としたファスニング部材の色を測定したデータ」であり、丸形プロットは、「塗料配合を変えて所望のゴールド色の塗装塗膜を施したファスニング部材の色を測定したデータ」であり、三角形のプロットは、「真鍮めっきを施したファスニング部材の色を測定したデータ」である。なお、測色は、平滑化処理後のファスニング部材に対して、池上通信機（株）製のＲＴＣ−２１を用いて行った。光源は、ＬＥＤ照明である。
【００３７】
エレメント３、上止具４及び下止具５、並びに、スライダー６のゴールド色は、図３に示すように、ＪＩＳ  Ｚ８７８１−４（２０１３）にて規定されるＣＩＥＬＡＢ色空間において、０≦a*≦１５、１５≦b*≦５０を満たす色調で規定する。
【００３８】
なお、エレメント３、上止具４及び下止具５、並びに、スライダー６のゴールド色は、ＪＩＳ  Ｚ８７８１−４（２０１３）にて規定されるＣＩＥＬＡＢ色空間において、３≦a*≦１２、２５≦b*≦３８を満たす色調で規定すると、より好ましい。
【００３９】
また、エレメント３、上止具４及び下止具５、並びに、スライダー６のゴールド色は、ＪＩＳ  Ｚ８７８１−４（２０１３）にて規定されるＣＩＥＬＡＢ色空間において、３≦a*≦７、２７≦b*≦３２を満たす色調で規定すると、さらに好ましい。
【００４０】
そして、本実施形態のスライドファスナー１３では、エレメント３が塗装された状態の連続ファスナーチェーン７を仕上加工する際に、銅合金から構成されている上止具４及び下止具５を取り付けることで、エレメント３と上止具４と下止具５の色調を同じ範囲の色調のスライドファスナー１３としている。同じ範囲の色調とは、ＪＩＳ  Ｚ８７８１−４（２０１３）にて規定されるＣＩＥＬＡＢ色空間において、０≦a*≦１５、１５≦b*≦５０を満たす色調である。銅合金は、例えば、丹銅がある。
【００４１】
なお、上止具４及び下止具５をアルミニウム材に塗装したものとすることも可能である。アルミニウム材を使用することは、軽量化や低コスト化の面で有利である。ただし、塗装後に上下止具４，５を加締め固定する際に、塗装が傷ついたり、剥がれやすくなったり、割れたりするなどの不具合が生じる可能性があるため、加締め固定の仕方を工夫したり、加締め固定後に検査工程を入れたりする必要があるなどの負担が発生する。その点からすれば、上下止具４，５は銅合金から構成することが有利である。
【００４２】
本実施形態のスライドファスナーでは、図１に示したスライダー６は、鉄材を母材として、真鍮めっきを施したものを用いている。鉄材は銅合金よりも安価である点で有利であるし、スライダー６はバレルめっきなどで大量に、かつ、品質的にも安定して製造できる点で有利である。もちろん、図１に示したスライダー６もゴールド色の塗装処理が施されたアルミニウム合金で形成してもよいし、また、銅合金で製造してもよい。これによって、エレメント３と上止具４と下止具５の色調を同じ範囲の色調のスライドファスナー１３としている。同じ範囲の色調とは、ＪＩＳ  Ｚ８７８１−４（２０１３）にて規定されるＣＩＥＬＡＢ色空間において、０≦a*≦１５、１５≦b*≦５０を満たす色調である。
【００４３】
ここで、エレメント３と上止具４と下止具５とスライダー６の色調をより統一感のあるものとするためには、エレメント３と上止具４と下止具５とスライダー６とにおけるそれぞれのa*の値の差の範囲を、０≦Δa*≦１２の範囲とし、かつ、エレメント３と上止具４と下止具５とスライダー６とにおけるそれぞれのb*の値の差の範囲を、０≦Δb*≦２０の範囲とすることが好ましい。さらに好ましくは、a*の値の差の範囲を、０≦Δa*≦１の範囲とし、かつ、b*の値の差の範囲を、０≦Δb*≦１７の範囲とすることが好ましい。
【００４４】
図４は、本実施形態のスライドファスナーのゴールド色のL*を示す。L*は、ＪＩＳ  Ｚ８７８１−４（２０１３）にて規定されるＣＩＥＬＡＢ色空間において規定される明度を示し、値が大きいと光沢感が高い。そして、図４の四角形のプロットは、「銅と亜鉛の配合比率を変えた丹銅を母材としたファスニング部材の明度を測定したデータ」であり、丸形プロットは、「塗料配合を変えて所望のゴールド色の塗装塗膜を施したファスニング部材の明度を測定したデータ」であり、三角形のプロットは、「真鍮めっきを施したファスニング部材の明度を測定したデータ」である。
【００４５】
エレメント３、上止具４及び下止具５、並びに、スライダー６のゴールド色は、図４に示すように、ＪＩＳ  Ｚ８７８１−４（２０１３）にて規定されるＣＩＥＬＡＢ色空間において、５０≦L*≦８５を満たす明度で規定する。
【００４６】
なお、エレメント３のゴールド色は、ＪＩＳ  Ｚ８７８１−４（２０１３）にて規定されるＣＩＥＬＡＢ色空間において、５０≦L*≦６５を満たす明度で規定すると、より好ましい。また、上止具４及び下止具５のゴールド色は、ＪＩＳ  Ｚ８７８１−４（２０１３）にて規定されるＣＩＥＬＡＢ色空間において、６５≦L*≦７５を満たす明度で規定すると、より好ましい。さらに、スライダー６のゴールド色は、ＪＩＳ  Ｚ８７８１−４（２０１３）にて規定されるＣＩＥＬＡＢ色空間において、７５≦L*≦８０を満たす明度で規定すると、より好ましい。
【００４７】
ここで、エレメント３と上止具４と下止具５の色調をより統一感のあるものとするためには、エレメント３と上止具４と下止具５ととにおけるそれぞれの色差ΔＥの範囲を、０≦ΔＥ≦３０の範囲とすることが好ましい。さらに好ましくは、ΔＥの範囲を、０≦ΔＥ≦２０の範囲とすることが好ましい。なお、色差ΔＥは、a*とb*とL*とから構成される座標で表される２色間の距離をいう。
【００４８】
また、エレメント３と上止具４と下止具５と、さらにスライダー６も含めての色調をより統一感のあるものとするためには、エレメント３と上止具４と下止具５とスライダー６とにおけるそれぞれの色差ΔＥの範囲を、０≦ΔＥ≦３０の範囲とすることが好ましい。さらに好ましくは、ΔＥの範囲を、０≦ΔＥ≦２０の範囲とすることが好ましい。
【００４９】
以上、本実施形態のスライドファスナー１３は、一対のファスナーテープ１と、各ファスナーテープ１の対向する芯部２に所定のピッチ毎にそれぞれ固定された複数のエレメント３と、を備えるスライドファスナー１３であって、エレメント３は、アルミニウム合金を母材とし、ＪＩＳ  Ｚ８７８１−４（２０１３）にて規定されるＣＩＥＬＡＢ色空間において、０≦a*≦１５、１５≦b*≦５０を満たす色調で規定する塗装処理が施される。したがって、本実施形態によれば、安価でありながら高級感のあるスライドファスナー１３を提供することが可能となる。
【００５０】
本実施形態のスライドファスナー１３では、エレメントは、ＪＩＳ  Ｚ８７８１−４（２０１３）にて規定されるＣＩＥＬＡＢ色空間において、５０≦L*≦８５を満たす明度で規定する塗装処理が施される。したがって、本実施形態によれば、より高級感のあるスライドファスナー１３を提供することが可能となる。
【００５１】
本実施形態のスライドファスナー１３は、複数のエレメント３の上端に配置され、ファスナーテープ１の芯部２に固定される上止具４と、複数のエレメント３の下端に配置され、ファスナーテープ１の芯部２に固定される下止具５と、を備えるスライドファスナー１３であって、エレメント３の色調範囲と同じ範囲の色調を呈する。したがって、本実施形態によれば、製品へ容易に使用することが可能となる。
【００５２】
本実施形態のスライドファスナー１３では、エレメント３と上止具４と下止具５とにおけるそれぞれのa*の値の差の範囲を、０≦Δa*≦１２の範囲とし、エレメント３と上止具４と下止具５とにおけるそれぞれのb*の値の差の範囲を、０≦Δb*≦２０の範囲とした。したがって、本実施形態によれば、より統一感のあるスライドファスナー１３を提供することが可能となる。
【００５３】
本実施形態のスライドファスナー１３では、上止具４及び下止具５は、エレメント３の色調範囲と同じ範囲の色調を呈する銅合金から構成される。したがって、本実施形態によれば、より統一感のあるスライドファスナー１３を提供することが可能となる。
【００５４】
本実施形態のスライドファスナー１３では、上止具４及び下止具５は、アルミニウム合金を母材とし、エレメント３の色調範囲と同じ範囲の色調で規定する塗装処理が施される。したがって、本実施形態によれば、より統一感のあるスライドファスナー１３を提供することが可能となる。
【００５５】
本実施形態のスライドファスナー１３では、上止具４及び下止具５は、ＪＩＳ  Ｚ８７８１−４（２０１３）にて規定されるＣＩＥＬＡＢ色空間において、５０≦L*≦８５を満たす明度で規定する銅合金から構成される。したがって、本実施形態によれば、より高級感のあるスライドファスナー１３を提供することが可能となる。
【００５６】
本実施形態のスライドファスナー１３では、エレメント３と上止具４と下止具５とにおけるそれぞれの色差が、０≦ΔＥ≦３０の範囲を満たす。したがって、本実施形態によれば、より統一感のあるスライドファスナー１３を提供することが可能となる。
【００５７】
本実施形態のスライドファスナー１３では、エレメント３を噛合又は分離させるために移動自在なスライダー６と、を備え、スライダー６は、エレメント３の色調範囲と同じ範囲の色調を呈する。したがって、本考案によれば、製品へ容易に使用することが可能となる。
【００５８】
本実施形態のスライドファスナー１３では、エレメント３と上止具４と下止具５とスライダー６とにおけるそれぞれのa*の値の差の範囲を、０≦Δa*≦１２の範囲とし、エレメント３と上止具４と下止具５とスライダー６とにおけるそれぞれのb*の値の差の範囲を、０≦Δb*≦２０の範囲とした。したがって、本実施形態によれば、より統一感のあるスライドファスナー１３を提供することが可能となる。
【００５９】
本実施形態のスライドファスナー１３では、スライダー６は、エレメント３の色調範囲と同じ範囲の色調を呈する銅合金から構成される。したがって、本実施形態によれば、より統一感のあるスライドファスナー１３を提供することが可能となる。
【００６０】
本実施形態のスライドファスナー１３では、スライダー６は、アルミニウム合金を母材とし、エレメント３の色調範囲と同じ範囲の色調で規定する塗装処理が施される。したがって、本実施形態によれば、より統一感のあるスライドファスナー１３を提供することが可能となる。
【００６１】
本実施形態のスライドファスナー１３では、スライダー６は、鉄材を母材とし、エレメント３の色調範囲と同じ範囲の色調で規定するめっき処理または塗装処理が施される。したがって、本実施形態によれば、より統一感のあるスライドファスナー１３を提供することが可能となる。
【００６２】
本実施形態のスライドファスナー１３では、スライダー６は、ＪＩＳ  Ｚ８７８１−４（２０１３）にて規定されるＣＩＥＬＡＢ色空間において、５０≦L*≦８５を満たす明度で規定する塗装処理が施される。したがって、本実施形態によれば、より高級感のあるスライドファスナー１３を提供することが可能となる。
【００６３】
本実施形態のスライドファスナー１３では、エレメント３と上止具４と下止具５とスライダー６とにおけるそれぞれの色差が、０≦ΔＥ≦３０の範囲を満たす。したがって、本実施形態によれば、より統一感のあるスライドファスナー１３を提供することが可能となる。
【００６４】
なお、本考案の種々の実施形態について説明したが、本考案はこれらの実施形態のみに限られるものではなく、それぞれの実施形態の構成を適宜組み合わせて構成した実施形態も本考案の範疇となるものである。
【図１】
0003214550.tif 000003
【図２】
0003214550.tif 000004
【図３】
0003214550.tif 000005
【図４】
0003214550.tif 000006
【手続補正書】
【提出日】平成29年11月27日(2017.11.27)
【手続補正１】
【補正対象書類名】実用新案登録請求の範囲
【補正対象項目名】全文
【補正方法】変更
【補正の内容】
【実用新案登録請求の範囲】
【請求項１】
一対のファスナーテープ（１）と、
前記各ファスナーテープ（１）の対向する芯部（２）に所定のピッチ毎にそれぞれ固定された複数のエレメント（３）と、
を備えるスライドファスナー（１３）であって、
前記エレメント（３）は、
アルミニウム合金を母材とし、
ＪＩＳ  Ｚ８７８１−４（２０１３）にて規定されるＣＩＥＬＡＢ色空間において、０≦a*≦１５、１５≦b*≦５０を満たす色調で規定する塗装処理が施される
ことを特徴とするスライドファスナー（１３）。
【請求項２】
前記エレメント（３）は、ＪＩＳ  Ｚ８７８１−４（２０１３）にて規定されるＣＩＥＬＡＢ色空間において、５０≦L*≦８５を満たす明度で規定する塗装処理が施される
請求項１に記載のスライドファスナー（１３）。
【請求項３】
前記複数のエレメント（３）の上端に配置され、ファスナーテープ（１）の芯部（２）に固定される上止具（４）と、
前記複数のエレメント（３）の下端に配置され、ファスナーテープ（１）の芯部（２）に固定される下止具（５）と、
を備えるスライドファスナー（１３）であって、
前記上止具（４）及び前記下止具（５）は、
前記エレメント（３）の色調範囲と同じ範囲の色調を呈する
請求項１又は２に記載のスライドファスナー（１３）。
【請求項４】
前記エレメント（３）と前記上止具（４）と前記下止具（５）とにおけるそれぞれのa*の値の差の範囲を、０≦Δa*≦１２の範囲とし、前記エレメント（３）と前記上止具（４）と前記下止具（５）とにおけるそれぞれのb*の値の差の範囲を、０≦Δb*≦２０の範囲とした
請求項３に記載のスライドファスナー（１３）。
【請求項５】
前記上止具（４）及び前記下止具（５）は、前記エレメント（３）の色調範囲と同じ範囲の色調を呈する銅合金から構成される
請求項４に記載のスライドファスナー（１３）。
【請求項６】
前記上止具（４）及び前記下止具（５）は、
アルミニウム合金を母材とし、前記エレメント（３）の色調範囲と同じ範囲の色調で規定する塗装処理が施される
請求項４に記載のスライドファスナー（１３）。
【請求項７】
前記上止具（４）及び前記下止具（５）は、ＪＩＳ  Ｚ８７８１−４（２０１３）にて規定されるＣＩＥＬＡＢ色空間において、５０≦L*≦８５を満たす明度で規定する塗装処理が施される
請求項３乃至請求項６に記載のスライドファスナー（１３）。
【請求項８】
前記エレメント（３）と前記上止具（４）と前記下止具（５）とにおけるそれぞれの色差が、０≦ΔＥ≦３０の範囲を満たす
請求項３乃至請求項７のいずれか１つに記載のスライドファスナー（１３）。
【請求項９】
請求項３乃至請求項８のいずれか１つに記載のスライドファスナー（１３）において、
前記エレメント（３）を噛合又は分離させるために移動自在なスライダー（６）と、
を備え、
前記スライダー（６）は、
前記エレメント（３）の色調と同じ範囲の色調を呈する
スライドファスナー（１３）。
【請求項１０】
前記エレメント（３）と前記上止具（４）と前記下止具（５）と前記スライダー（６）におけるそれぞれのa*の値の差の範囲を、０≦Δa*≦１２の範囲とし、前記エレメント（３）と前記上止具（４）と前記下止具（５）と前記スライダー（６）とにおけるそれぞれのb*の値の差の範囲を、０≦Δb*≦２０の範囲とした
請求項９に記載のスライドファスナー（１３）。
【請求項１１】
前記スライダー（６）は、前記エレメント（３）の色調範囲と同じ範囲の色調を呈する銅合金から構成される
請求項１０に記載のスライドファスナー（１３）。
【請求項１２】
前記スライダー（６）は、アルミニウム合金を母材とし、
前記エレメント（３）の色調範囲と同じ範囲の色調で規定する塗装処理が施される
ことを特徴とする請求項１０に記載のスライドファスナー（１３）。
【請求項１３】
前記スライダー（６）は、
鉄材を母材とし、前記エレメント（３）の色調範囲と同じ範囲の色調で規定するめっき処理または塗装処理が施される
請求項１０に記載のスライドファスナー（１３）。
【請求項１４】
前記スライダー（６）は、ＪＩＳ  Ｚ８７８１−４（２０１３）にて規定されるＣＩＥＬＡＢ色空間において、５０≦L*≦８５を満たす明度で規定する塗装処理が施される
請求項９乃至請求項１３のいずれか１つに記載のスライドファスナー（１３）。
【請求項１５】
前記エレメント（３）と前記上止具（４）と前記下止具（５）と前記スライダー（６）とにおけるそれぞれの色差が、０≦ΔＥ≦３０の範囲を満たす
請求項９乃至請求項１４のいずれか１つに記載のスライドファスナー（１３）。